(57)【要約】【課題】スクリューキャップにおいて、正規な方法による開閉を容易なものとすることと、不正に開封されたか否かの判定精度を向上させることとを両立させること。【解決手段】スクリューキャップ１は、キャップ本体５と、ＴＥバンド１５と、突起部２７と、少なくとも１つの弱化線３５，３７とを備えている。キャップ本体５は、一端が閉塞された筒状の天板部７及びスカート部９と、スカート部９の内周にネジが切られたネジ部１３とを有している。ＴＥバンド１５は、環状に形成され、キャップ本体５のスカート部９に第１ブリッジ１７によって接続されている。ＴＥバンド１５は、収納容器に対して回転するように取り付けられている。突起部２７は、ＴＥバンド１５から、径方向の外側に向けて突出した少なくとも１つの突起である。弱化線３５，３７は、ＴＥバンド１５に設けられた破断可能な第２ブリッジを有している。【選択図】図４
2015221669.tif 000002
【特許請求の範囲】
【請求項１】
収納容器（８０）を密栓するスクリューキャップ（１）であって、
板状に形成された天板部（７）と、前記天板部の外周から一方向に向けて突出した筒状のスカート部（９）と、前記収納容器に設けられたネジと螺号するように前記スカート部の内周に沿ってネジが切られたネジ部（１３）とを有したキャップ本体（５）と、
環状に形成されたタンパーエビデンスバンド（１５）であって、前記キャップ本体のスカート部において、前記天板部の外周とは反対側の端部に破断可能な第１ブリッジ（１７）によって接続され、かつ、当該タンパーエビデンスバンドの内周から、径方向に沿った内側に向けて突出する少なくとも１つの片である係止片（１９）を有すると共に、前記収納容器の規定された部位に少なくとも開栓方向に沿って回転するように取り付けられるタンパーエビデンスバンドと、
前記タンパーエビデンスバンドから、径方向の外側に向けて突出した少なくとも１つの突起である突起部（２７）と、
前記タンパーエビデンスバンドに設けられた破断可能な第２ブリッジを有した少なくとも１つの弱化線（３５，３７）と
を備えることを特徴とするスクリューキャップ。
【請求項２】
前記弱化線は、
前記キャップ本体の開栓方向に沿って、前記突起部に隣接して設けられている
ことを特徴とする請求項１に記載のスクリューキャップ。
【請求項３】
前記弱化線は、
前記突起部を挟み込むように少なくとも２つ設けられ、
前記弱化線のうち、前記突起部に対して前記キャップ本体の開栓方向に沿って隣接するように設けられた弱化線を第１弱化線と称し、前記弱化線のうち、前記突起部に対して前記キャップ本体の閉栓方向に沿って隣接するように設けられた弱化線を第２弱化線と称し、
前記第１弱化線は、
前記第２弱化線に比べて弱い力、もしくは前記第２弱化線と同等の力で破断するように前記第２ブリッジが形成されている
ことを特徴とする請求項１または請求項２に記載のスクリューキャップ。
【請求項４】
前記係止片は、
前記収納容器の外周から、径方向に沿った外側に向けて突出する環状の接合部（９０）との間に、前記キャップ本体の回転方向と直交する方向に沿った隙間を有するように形成されている
ことを特徴とする請求項１から請求項３までのいずれか一項に記載のスクリューキャップ。
【請求項５】
前記係止片は、
前記接合部との係合力が規定値以上となる構造であることを特徴とする請求項４に記載のスクリューキャップ。
【請求項６】
前記突起部は、
前記タンパーエビデンスバンドの外周から径方向に沿った外側に向けての突出量が、前記収納容器の外径よりも短い
ことを特徴とする請求項１から請求項５までのいずれか一項に記載のスクリューキャップ。
【請求項７】
前記突起部は、
前記タンパーエビデンスバンドの外周から径方向に沿った外側に向けての突出量が、前記天板部の外周と前記収納容器の外周とを結ぶ直線よりも内側となるように形成されている
ことを特徴とする請求項１から請求項６までのいずれか一項に記載のスクリューキャップ。
【請求項８】
前記突起部は、
複数の突起を備えることを特徴とする請求項１から請求項７までのいずれか一項に記載のスクリューキャップ。
【請求項９】
前記キャップ本体には、
ローレット加工が施されていることを特徴とする請求項１から請求項８までのいずれか一項に記載のスクリューキャップ。
【請求項１０】
前記突起部には、
ローレット加工が施されていることを特徴とする請求項１から請求項９までのいずれか一項に記載のスクリューキャップ。
【請求項１１】
前記突起部は、
前記タンパーエビデンスバンドとの接続部分が湾曲した面状に形成されていることを特徴とする請求項１から請求項１０までのいずれか一項に記載のスクリューキャップ。
【請求項１２】
クランプにより前記収納容器に螺着されることを特徴とする請求項１から請求項１１までのいずれか一項に記載のスクリューキャップ。
【請求項１３】
前記収納容器は、
ペットボトルであることを特徴とする請求項１から請求項１２までのいずれか一項に記載のスクリューキャップ。
【発明の詳細な説明】
【技術分野】
【０００１】
本発明は、収納容器を密栓するスクリューキャップに関する。
【背景技術】
【０００２】
従来、収納容器を密栓するスクリューキャップであって、キャップ本体と、タンパーエビデンスバンド（以下、「ＴＥバンド」と称す）と、突起部とを備えたスクリューキャップが知られている（特許文献１参照）。
【０００３】
この特許文献１に記載されたスクリューキャップにおけるキャップ本体は、板状に形成された天板部と、天板部の外周から一方向に向けて突出した筒状のスカート部と、収納容器に設けられたネジと螺号するようにスカート部の内周に設けられたネジ部とを備えている。
【０００４】
ＴＥバンドは、収納容器が開封済みであるか否かを判定する目的で設けられた、環状のバンドである。このＴＥバンドは、キャップ本体のスカート部における、天板の外周とは反対側の端部に破断可能なブリッジによって接続されている。さらに、ＴＥバンドは、収納容器の外周から径方向に沿って外側に向けて突出する環状の接合部よりも、収納容器の下方に取り付けられる。すなわち、このＴＥバンドは、スクリューキャップ自体が開栓方向に回動され、収納容器の上方へと移動すると、ブリッジが破断する。換言すれば、ＴＥバンドは、ブリッジが破断していれば、開封済みであり、ブリッジが破断していなければ、未開封であることを意味する。
【０００５】
突起部は、キャップ本体のスカート部から、径方向の外側に向けて突出する複数の突起である。
【先行技術文献】
【特許文献】
【０００６】
【特許文献１】特許第４２９６７３５号公報
【発明の概要】
【発明が解決しようとする課題】
【０００７】
特許文献１に記載されたスクリューキャップによれば、突起部が形成されているため、スクリューキャップを開栓または閉栓する場合に、そのスクリューキャップへの利用者の指の掛かりを良くすることができる。このため、スクリューキャップの回転を容易に実現でき、スクリューキャップの開閉を容易なものとすることができる。
【０００８】
しかしながら、特許文献１に記載されたスクリューキャップにおいては、収納容器の上方へとスクリューキャップを引き抜けば、収納容器を開封することができる。この場合のスクリューキャップは、キャップ本体とＴＥバンドとを接続するブリッジが破断することなく接続された状態のままとなる可能性がある。そして、その引き抜いたスクリューキャップを収納容器に再び取り付けた場合、ＴＥバンドとキャップ本体とを接続するブリッジが破断していないため、見かけ上は、スクリューキャップが取り外されたか否かを判定できない可能性があった。
【０００９】
つまり、従来のスクリューキャップでは、正規な方法による開閉を容易なものとすることと、不正に開封されたか否かの判定精度を向上させることとの両立が困難であるという課題があった。
【００１０】
そこで、本発明は、スクリューキャップにおいて、正規な方法による開閉を容易なものとすることと、不正に開封されたか否かの判定精度を向上させることとを両立させることを目的とする。
【課題を解決するための手段】
【００１１】
上記目的を達成するためになされた本発明は、収納容器（８０）を密栓するスクリューキャップ（１）に関する。
本発明のスクリューキャップは、キャップ本体（５）と、タンパーエビデンスバンド（１５）と、突起部（２７）と、弱化線（３５，３７）とを備えている。
【００１２】
このうち、キャップ本体は、板状に形成された天板部（７）と、天板部の外周から一方向に向けて突出した筒状のスカート部（９）と、収納容器に設けられたネジと螺号するようにスカート部の内周に沿ってネジが切られたネジ部（１３）とを有している。
【００１３】
タンパーエビデンスバンドは、環状に形成された部材であって、キャップ本体のスカート部において、天板部の外周とは反対側の端部に破断可能な第１ブリッジ（１７）によって接続され、かつ、当該タンパーエビデンスバンドの内周から、径方向に沿った内側に向けて突出する少なくとも１つの片である係止片（１９）を有すると共に、収納容器の規定された部位に少なくとも開栓方向に沿って回転するように取り付けられている。
【００１４】
また、突起部は、タンパーエビデンスバンドから、径方向の外側に向けて突出した少なくとも１つの突起である。弱化線は、タンパーエビデンスバンドに設けられた破断可能な第２ブリッジを有している。
【００１５】
このような本発明のスクリューキャップにおける一般的な開栓方法では、タンパーエビデンスバンドに設けられた突起部に指を掛けて、梃子の作用により、タンパーエビデンスバンド、ひいては、スクリューキャップを回転させる。すなわち、タンパーエビデンスバンドが開栓方向に回転することにより、キャップ本体も回転する。
【００１６】
そのキャップ本体は、回転することによって、収納容器に設けられたネジに沿って、上方（即ち、開栓される方向）へと移動する。このキャップ本体の移動によって、収納容器からキャップ本体を取り外すことができ、正規な方法による収納容器の開封を容易なものとすることができる。
【００１７】
そして、本発明のスクリューキャップにおいては、キャップ本体が収納容器の上方へと移動することによって、キャップ本体とタンパーエビデンスバンドとを接続する第１ブリッジが破断する。このため、本発明のスクリューキャップによれば、タンパーエビデンスバンドに、収納容器が開封済みであるか否かを判定する機能を発揮させることができる。
【００１８】
また、本発明のスクリューキャップのタンパーエビデンスバンドには、破断可能な第２ブリッジを有した弱化線が形成されている。この弱化線は、収納容器を密栓した状態のスクリューキャップを上方へと強引に引き抜くと、破断する。したがって、本発明のスクリューキャップによれば、収納容器の上方へとスクリューキャップを引き抜くといった方法によって、収納容器が不正に開封された場合、タンパーエビデンスバンドが収納容器から外れた状態となる。
【００１９】
この結果、本発明のスクリューキャップによれば、収納容器が、不正に開封されたか否かの判定精度を向上させることができる。
つまり、本発明のスクリューキャップによれば、正規な方法による開閉を容易なものとすることと、不正に開封されたか否かの判定精度を向上させることとを両立させることができる。
【００２０】
本発明における弱化線は、キャップ本体の開栓方向に沿って、突起部に隣接して設けられていても良い。
このようなスクリューキャップにおいて、タンパーエビデンスバンド（ひいてはキャップ本体）を開栓方向に回転した場合、第１弱化線は、突起部に押されるだけであるため、第１弱化線の第２ブリッジは破断しない。一方、突起部（ひいては、タンパーエビデンスバンド）が閉栓方向に強く引っ張られた場合、第１弱化線における第２ブリッジが破断する。
【００２１】
以上のことから、本発明のスクリューキャップによれば、例えば、閉栓方向へと突起部を捻りながら引っ張ることで第２ブリッジを破断させることができる。この結果、収納容器が開封済みであるか否かを判定するという本来の機能を発揮し終えたタンパーエビデンスバンドを、収納容器から容易に取り外すことができる。
【００２２】
本発明における弱化線は、突起部を挟み込むように少なくとも２つ設けられていても良い。この場合、弱化線のうち、突起部に対してキャップ本体の開栓方向に沿って隣接するように設けられた弱化線を第１弱化線と称し、弱化線のうち、突起部に対してキャップ本体の閉栓方向に沿って隣接するように設けられた弱化線を第２弱化線と称す。
【００２３】
そして、第１弱化線は、第２弱化線に比べて弱い力で破断するように第２ブリッジが形成されていても良い。なお、第１弱化線は、第２弱化線とほぼ同等の力で破断するように第２ブリッジが形成されていても良い。
【００２４】
このようなスクリューキャップによれば、突起部に力を加えることで、タンパーエビデンスバンドを収納容器から除去できる。
また、本発明における係止片は、収納容器の外周から径方向に沿って外側に向けて突出する環状の接合部（９０）との間に、キャップ本体の回転方向と直交する方向に沿った隙間を有するように形成されていても良い。
【００２５】
このようなスクリューキャップによれば、係止片と接合部との間に隙間が形成されているため、隙間が形成されていない場合に比べて、タンパーエビデンスバンド、ひいては、キャップ本体を開栓方向に回転させる際の最初の抵抗力を小さなものとすることができる。この結果、本発明のスクリューキャップによれば、収納容器を容易に開栓することができる。
【００２６】
さらに、本発明における係止片は、接合部との係合力が規定値以上となる構造であっても良い。
ここで言う「係合力が規定値以上となる構造」とは、係止片の枚数を規定枚数以上とすることであっても良いし、一枚の係止片の面積を規定面積以上とすることであっても良いし、収納容器との間の係合力が規定値よりも高い材料にて係止片を形成することであっても良い。
【００２７】
このようなスクリューキャップによれば、収納容器を密栓している状態のスクリューキャップを強引に引き抜くことを困難なものとすることができる。
本発明における突起部は、タンパーエビデンスバンドの外周から径方向に沿った外側への突出量が、収納容器の外径よりも短くなるように形成されていても良いし、天板部の外周と収納容器の外周とを結ぶ直線よりも内側となるように形成されていても良い。
【００２８】
これらのスクリューキャップによれば、収納容器及びスクリューキャップの外観を良くすることができる。また、本発明のスクリューキャップによれば、当該スクリューキャップが取り付けられた収納容器を輸送する際などに、スクリューキャップにおける突起部が他の収納容器などに衝突することを防止できる。この結果、スクリューキャップによれば、タンパーエビデンスバンドが破損したり、スクリューキャップが弛んだりしたりすることを防止できる。
【００２９】
また、本発明における突起部は、タンパーエビデンスバンドとの接続部分が湾曲した面状に形成されていても良い。
このようなスクリューキャップによれば、突起部に対して、収納容器の使用者の指が、より掛かり易くなる。
【００３０】
さらに、本発明における突起部は、複数の突起を備えていても良い。
このようなスクリューキャップによれば、指を掛ける部位を増やすことができ、スクリューキャップの開閉をより容易なものとすることができる。
【００３１】
ところで、本発明におけるキャップ本体には、ローレット加工が施されていても良い。そのローレット加工は、本発明における突起部に施されていても良い。
このように、ローレット加工が施されたスクリューキャップによれば、キャップ本体や突起部に掛けられた指が滑ることを低減でき、開閉をより確実なものとすることができる。
【００３２】
また、本発明のスクリューキャップは、クランプにより収納容器に螺着されていても良い。
このようなスクリューキャップによれば、収納容器をより確実に密栓することができる。
【００３３】
そして、本発明においては、収納容器はペットボトルであっても良い。
このようなスクリューキャップによれば、ペットボトルを密栓することができる。
なお、「特許請求の範囲」及び「課題を解決するための手段」の欄に記載した括弧内の符号は、一つの態様として後述する実施形態に記載の具体的手段との対応関係を示すものであって、本発明の技術的範囲を限定するものではない。
【図面の簡単な説明】
【００３４】
【図１】本発明が適用されたスクリューキャップ及び収納容器の正面図である。
【図２】スクリューキャップの上面図である。
【図３】スクリューキャップ及び収納容器の側面図である。
【図４】スクリューキャップ及び収納容器の構造を示す図であり、図２におけるＡ−Ａ断面図である。
【図５】スクリューキャップ及び収納容器の要部拡大図である。
【図６】ＴＥバンドが備える係止片を示す図である。
【図７】スクリューキャップを開封する場合の力について説明するグラフである。
【図８】スクリューキャップの変形例を示す図である。
【図９】スクリューキャップの変形例を示す図である。
【図１０】スクリューキャップにおける突起部の変形例を示す図である。
【図１１】スクリューキャップにおける突起部の変形例を示す図である。
【図１２】スクリューキャップにおける突起部の変形例を示す図である。
【図１３】スクリューキャップにおける突起部の変形例を示す図である。
【図１４】スクリューキャップの変形例を示す図である。
【図１５】スクリューキャップの変形例を示す図である。
【図１６】スクリューキャップの変形例を示す図である。
【図１７】スクリューキャップの変形例を示す図である。
【発明を実施するための形態】
【００３５】
以下に本発明の実施形態を図面と共に説明する。
［実施形態］
図１，図２，図３に示すスクリューキャップ１は、収納容器８０を密栓するキャップである。
【００３６】
収納容器８０は、物体を収納する容器である。本実施形態における収納容器８０は、物体を収納する容器本体８２と、物体を外部に放出する口部８４とを備えた、周知のペットボトルである。本実施形態の収納容器８０には、例えば、飲料などが物体として収納される。
【００３７】
このうち、容器本体８２は、一端が閉塞された筒状に形成されている。口部８４は、全体として、両端が開放した円筒状の部位である。この口部８４は、容器本体８２における開放された端部に接続され、口部８４の一方の端部が、容器本体８２の出口として機能する。
【００３８】
本実施形態における口部８４には、ネックリング８６（図４，図５参照）と、ネジ８８（図４，図５参照）と、接合部９０（図４，図５参照）とが設けられている。ネックリング８６は、口部８４の外周から、径方向に沿って外側に突出する環状の部位である。
【００３９】
接合部９０は、口部８４の外周から、径方向に沿って外側に突出する環状の部位である。この接合部９０は、口部８４において、ネックリング８６よりも上方に設けられている。さらに、接合部９０は、ネックリング８６との間に隙間を有するように設けられている。
【００４０】
ネジ８８は、口部８４の外周に形成されたネジ山を有している。そのネジ山は、口部８４において、接合部９０よりも上方に設けられている。
スクリューキャップ１は、キャップ本体部５と、タンパーエビデンスバンド（以下、「ＴＥバンド」と称す）１５と、突起部２７と、第１弱化線３５（図３参照），第２弱化線３７（図３参照）とを備えている。
【００４１】
ここで、図４は、スクリューキャップ及び収納容器の構造を示す断面図（図２におけるＡ−Ａ断面図）である。また、図５は、スクリューキャップ及び収納容器の要部拡大図である。
【００４２】
図４，５に示すように、キャップ本体部５は、収納容器８０の口部８４を封止する部位であり、天板部７と、スカート部９と、シール部１１と、ネジ部１３とを備えている。
天板部７は、収納容器８０の口部８４の直径よりも径が大きい円板状の部位である。スカート部９は、天板部７の外周から一方向に向けて突出した筒状の部位である。このスカート部９の外表面には、凹凸３０が設けられている。本実施形態における凹凸３０は、周知のローレット加工によって施されている。
【００４３】
シール部１１は、収納容器８０の口部８４の内壁に係合するように、スカート部９と同一の方向に、天板部７から突出した筒状の部位である。ネジ部１３は、収納容器８０に設けられたネジ８８と螺合するようにスカート部９の内周に沿って切られたネジ山を有する。
【００４４】
ＴＥバンド１５は、収納容器８０が開封済みであるか否かを判定する目的で設けられる環状のバンドであり、収納容器８０におけるネックリング８６と接合部９０との間に配置される。このＴＥバンド１５は、破断可能な細線状の部位（以下、「第１ブリッジ」と称す）１７によって、キャップ本体部５のスカート部９における天板部７の外周とは反対側の端部に接続されている。さらに、ＴＥバンド１５には、ＴＥバンド１５自身の内壁から、径方向に沿って内側に突出する係止片１９が設けられている。係止片１９は、図６に示すように、複数設けられている。
【００４５】
さらに、係止片１９は、スクリューキャップ１が収納容器８０を密栓している状態においては、口部８４に形成された接合部９０よりも下方、かつ、接合部９０との間に隙間Ｌを有するように形成されている。すなわち、係止片１９それぞれは、スクリューキャップ１が収納容器８０を密栓している状態において、接合部９０と非接触となるように、径方向の内側に突出している。
【００４６】
換言すれば、ＴＥバンド１５は、収納容器８０に対して回転可能に取り付けられる。
なお、係止片１９は、収納容器８０における接合部９０と係合した場合、その係合による摩擦力が規定値以上となるように形成されていても良い。ここで言う「摩擦力が規定値以上となるように形成」とは、係止片の枚数を規定枚数以上とすることで実現しても良いし、一枚の係止片の面積を規定面積以上とすることで実現しても良いし、収納容器８０との間の係合力が規定値よりも高い材料にて係止片１９を形成することで実現しても良い。また、ここでの規定値とは、収納容器８０の上方へとスクリューキャップ１を引き抜く場合に、係止片１９と接合部９０との係合を保持する力として、予め規定された値である。
【００４７】
そして、突起部２７は、ＴＥバンド１５の外周から、径方向に沿って外側に突出した少なくとも１つの突起を有する部位である。本実施形態における突起の形状は、直方体状である。さらに、突起の外表面には、凹凸３１が設けられている。この凹凸３１は、周知のローレット加工によって施されても良い。
【００４８】
第１弱化線３５及び第２弱化線３７は、共に、ＴＥバンド１５における細線状の部位（以下、「第２ブリッジ」と称す）である。この第１弱化線３５，及び第２弱化線３７は、突起部２７を挟み込むように設けられている。さらに、第１弱化線３５，及び第２弱化線３７は、突起部２７に隣接して設けられている。
【００４９】
なお、第１弱化線は、キャップ本体部５の開栓方向に沿って、突起部２７に隣接して設けられた弱化線３５であり、第２弱化線３７は、キャップ本体部５の閉栓方向に沿って、突起部２７に隣接して設けられた弱化線３７である。
【００５０】
そして、第１弱化線３５は、第２弱化線３７に比べて、第２ブリッジが破断する力が弱くなるように形成されている。この「破断する力が弱くなる」ことを実現する方法として、細線状の部位における細線を細くすることや、細線状の部位における細線の本数を少なくすることが考えられる。なお、第１弱化線３５は、第２弱化線３７と同等の力で、第２ブリッジが破断するように形成されていても良い。
【００５１】
なお、本実施形態におけるスクリューキャップ１は、合成樹脂によって形成されていても良いし、その他の材料（例えば、金属材料）によって形成されていても良い。
また、スクリューキャップ１の収納容器８０への取り付けは、周知のクランプによって実現しても良いし、その他の方法で実現しても良い。ここで言うその他の方法には、スクリューキャップ１を閉栓方向に回転することで、当該スクリューキャップ１を収納容器８０に取り付けることを含む。
＜使用例＞
次に、スクリューキャップ１を開封する場合の使用例について説明する。
【００５２】
図７は、スクリューキャップを開封する場合の力について説明するグラフである。図７における（ａ）は、スクリューキャップ１を緩める力を表し、（ｂ）は、第１ブリッジ１７を破断させる力を表す。また、図７における（ｃ）は、スクリューキャップ１のシール部１１を、収納容器８０の口部８４から離脱させる力を表し、（ｄ）は、（ａ）〜（ｃ）を合成した力を表す。さらに、（ｅ）は、スクリューキャップ１を開栓方向に回し始めてから、係止片１９が接合部９０に接触するまでの期間である。
【００５３】
本実施形態におけるスクリューキャップ１の開栓方法として、収納容器８０の使用者は、例えば、ＴＥバンド１５に設けられた突起部２７に指を掛けて、梃子の作用により、ＴＥバンド１５（ひいては、スクリューキャップ１）を回転させる方法が考えられる。この場合、ＴＥバンド１５が開栓方向に回転することにより、キャップ本体部５も回転する。
【００５４】
そのキャップ本体部５は、回転することによって、収納容器８０に設けられたネジ８８に沿って、上方（即ち、開栓される方向）へと移動する。このキャップ本体部５の移動によって、ＴＥバンド１５に設けられた係止片１９は、収納容器８０に設けられた接合部９０と当接する。
【００５５】
さらに、ＴＥバンド１５が回転させられると、キャップ本体部５は、収納容器８０に設けられたネジ８８に沿って、上方（即ち、開栓される方向）へと移動する。一方、ＴＥバンド１５は、収納容器８０に設けられた接合部９０に当接しているため、収納容器８０の上方へは移動できない。
【００５６】
これにより、第１ブリッジ１７が破断すると共に、キャップ本体部５だけを回転可能となる。そして、収納容器８０の使用者が、キャップ本体部５だけを回転させることにより、収納容器８０からキャップ本体部５が離脱される。
［実施形態の効果］
以上説明したように、スクリューキャップ１によれば、収納容器８０の使用者がＴＥバンド１５に設けられた突起部２７に指を掛けて、ＴＥバンド１５を回転させる。これにより、キャップ本体部５においては、第２弱化線３７が破断せずにＴＥバンド１５と一体となって回転し、収納容器８０に設けられたネジ８８に沿って上方（即ち、開栓される方向）へと移動する。このキャップ本体部５の移動によって、収納容器８０からキャップ本体部５を取り外すことができる。
【００５７】
つまり、スクリューキャップ１によれば、収納容器８０の使用者は、突起部２７に指を掛けて、梃子の作用により、スクリューキャップ１自体を回転させることができるため、スクリューキャップ１自体に力を伝達しやすい。この結果、スクリューキャップ１によれば、正規な方法による収納容器８０の開封を容易なものとすることができる。
【００５８】
そして、スクリューキャップ１においては、キャップ本体部５が収納容器８０の上方へと移動することによって、キャップ本体部５とＴＥバンド１５とを接続する第１ブリッジ１７が破断する。このため、スクリューキャップ１によれば、収納容器８０が未開封の場合には、第１ブリッジ１７は、破断しておらず、収納容器８０が未開封であることを保障できる。
【００５９】
また、スクリューキャップ１のＴＥバンド１５には、破断可能な第２ブリッジを有した弱化線３５，３７が形成されている。
収納容器８０を密栓した状態のスクリューキャップ１を強引に引き抜くと、弱化線３５，３７は、破断する。したがって、スクリューキャップ１によれば、突起部２７に指を掛けて収納容器８０の上方へとスクリューキャップ１を引き抜くといった不正な方法によって、収納容器８０が開封された場合、ＴＥバンド１５が収納容器から外れた状態となる。
【００６０】
この結果、スクリューキャップ１によれば、収納容器８０が、不正に開封されたか否かを判定できる。
つまり、スクリューキャップ１によれば、正規な方法による開閉を容易なものとすることと、不正に開封されたか否かの判定精度を向上させることとを両立させることができる。
【００６１】
また、スクリューキャップ１においては、ＴＥバンド１５（ひいてはキャップ本体部５）を開栓方向に回転した場合、第１弱化線３５は、突起部２７に押されるだけであり、ＴＥバンド１５の一部分として一体となって回転する。このため、ＴＥバンド１５（ひいてはキャップ本体部５）が開栓方向に回転した場合には、第１弱化線３５を構成する第２ブリッジは破断しない。一方、突起部２７（ひいては、ＴＥバンド１５）が閉栓方向に引っ張られた場合、第１弱化線３５を構成する第２ブリッジは破断する。
【００６２】
つまり、スクリューキャップ１によれば、閉栓方向へと突起部２７を捻りながら引っ張ることで第１弱化線３５を破断させることができる。この結果、収納容器８０が開封済みであるか否かを判定するという本来の機能を発揮し終えたＴＥバンド１５を、収納容器８０から容易に取り外すことができる。
【００６３】
特に、スクリューキャップ１によれば、第１弱化線３５に加えて、第２弱化線３７が形成されている。このため、スクリューキャップ１によれば、突起部２７を捻りながら下方に引き下げたり、突起部２７を捻りながら上方へと押し上げたりすることで、ＴＥバンド１５を収納容器８０から除去できる。
【００６４】
また、スクリューキャップ１には、係止片１９と接合部９０との間に隙間Ｌが形成されている。このため、スクリューキャップ１によれば、隙間Ｌが形成されていない場合に比べて、ＴＥバンド１５、ひいては、キャップ本体部５を開栓方向に回転させる際の静止摩擦力を小さなものとすることができる。この結果、スクリューキャップ１によれば、収納容器８０を容易に開栓することができる。
【００６５】
ところで、スクリューキャップ１では、スクリューキャップ１を収納容器８０の上方へと引き抜く場合に、接合部９０との係合を保持する力以上となるように、係止片１９が形成されている。
【００６６】
このため、スクリューキャップ１によれば、収納容器８０を密栓している状態から強引に引き抜くことをより確実に防止することができる。
なお、キャップ本体部５及び突起部２７には、凹凸３０や凹凸３１が形成されている。このように凹凸３０や凹凸３１が設けられたスクリューキャップ１によれば、キャップ本体部５や突起部２７に掛けられた指が滑ることを低減でき、スクリューキャップ１の開閉をより確実なものとすることができる。
［その他の実施形態］
以上、本発明の実施形態について説明したが、本発明は上記実施形態に限定されるものではなく、本発明の要旨を逸脱しない範囲において、様々な態様にて実施することが可能である。
【００６７】
例えば、スクリューキャップ１においては、ＴＥバンド１５とキャップ本体部５との接合部分５０の形状を、互いが咬み合う形状としても良い。この「互いが咬み合う形状」とは、図８に示すように、開栓方向に沿って、斜辺が連続する鋸歯状であっても良い。特に、「互いが咬み合う形状」は、図９に示すように、開栓方向に沿って、斜辺と鉛直方向に沿って延びる直線とが連続する鋸歯状であることが好ましい。
【００６８】
このように、ＴＥバンド１５とキャップ本体部５との接合部分５０の形状を互いが咬み合う形状とすれば、突起部２７に指を掛けてＴＥバンド１５を開栓方向に回転させる場合に、そのＴＥバンド１５に連動してキャップ本体部５が回転する可能性を向上させることができる。したがって、このようなスクリューキャップ１によれば、キャップ本体部５をより簡易に回転させることができる。また、後者の形状であれば、閉栓作業もスムーズなものとすることができる。
【００６９】
さらに、上記実施形態のスクリューキャップ１においては、突起部２７は、直方体状に形成されていたが、突起部２７の形状は、これに限るものではない。
例えば、突起部２７の形状は、図１０（Ａ），図１０（Ｂ）に示すように三角柱状であっても良いし、図１０（Ｃ）に示すように先端に丸みを形成した板状または柱状であっても良い。さらに、突起部２７の形状は、図１０（Ｄ）に示すように内部に中空７０を有した板状または柱状であっても良いし、図１０（Ｅ）に示すように円柱状であっても良い。
【００７０】
また、突起部２７の形状は、図１１（Ａ）に示すような多角形の板状であっても良いし、図１１（Ｂ），図１１（Ｃ），図１１（Ｄ），図１１（Ｅ）に示すような意匠を有する形状（例えば、ハート形や楕円型）であっても良い。さらに、ここで言う「意匠を有する形状」には、図１２（Ａ）に示すような星形を含んでも良い。
【００７１】
突起部２７の形状は、図１２（Ｂ）や図１２（Ｃ）に示すように、水平面（天板部７と水平となる面）において湾曲した棒状であっても良い。このような形状とすれば、突起部２７に対する使用者の指の掛かりをより良くすることができる。
【００７２】
突起部２７の形状は、図１２（Ｄ）に示すように、水平面において中空を有したリング状であっても良いし、図１２（Ｅ）に示すように、先端を人形の形状に形成したものであっても良い。さらには、突起部２７の形状は、図１７（Ａ），図１７（Ｂ），図１７（Ｃ）に示すように、先端が先細となるように形成した板状または柱状であっても良い。
【００７３】
さらに言えば、突起部２７は、図１６に示すように、湾曲した面によってＴＥバンド１５に接続されていても良い。このような突起部２７によれば、突起部２７に対して、収納容器８０の使用者の指をより掛かり易くできる。
【００７４】
ところで、上記実施形態のスクリューキャップ１においては、突起部２７を１つだけ形成していたが、本発明におけるスクリューキャップでは、突起部２７は、図１３（Ａ）に示すように、複数形成されていても良い。
【００７５】
このように、突起部２７が複数形成される場合、その突起部２７の形状は、図１３（Ｂ）に示すように、先端に丸みを形成した板状または柱状であっても良いし、図１３（Ｃ）に示すように、先端ほど細くなる板状または柱状であっても良い。さらには、突起部２７が複数形成される場合、その突起部２７の形状は、図１３（Ｄ）に示すような意匠を有する形状であっても良い。
【００７６】
このように、突起部２７が複数形成されていれば、使用者が指を掛ける部位を増やすことができ、スクリューキャップ１の開閉をより容易なものとすることができる。
なお、スクリューキャップ１において、ＴＥバンド１５の外周から径方向に沿った外側への突起部２７の突出量は、図１４に示すように、収納容器８０の外径以下であることが好ましい。すなわち、収納容器８０の外径に沿った直線を、鉛直方向に沿って延長した場合に、その延長した直線よりも、突起部２７の先端が、内側に位置するように形成されていることが好ましい。図１４においては、突起部２７が複数設けられている場合について例示したが、突起部２７の個数が単数である場合においても、ＴＥバンド１５の外周から径方向に沿った外側への突起部２７の突出量が、収納容器８０の外径以下であることが好ましい。
【００７７】
このようなスクリューキャップ１によれば、収納容器８０及びスクリューキャップ１の外観を良くすることができる。また、このようなスクリューキャップ１によれば、当該スクリューキャップ１が取り付けられた収納容器８０を輸送する際などに、スクリューキャップ１における突起部が他の収納容器８０などに衝突することを防止できる。この結果、スクリューキャップ１によれば、ＴＥバンド１５が破損したり、スクリューキャップ１が弛んだりすることを防止できる。
【００７８】
また、スクリューキャップ１において、ＴＥバンド１５の外周から径方向に沿った外側への突起部２７の突出量は、図１５に示すように、天板部７の外周と収納容器８０の外周とを結ぶ直線よりも内側であることが好ましい。すなわち、収納容器８０におけるいわゆる肩と、天板部７の外周とを結ぶ直線よりも、突起部２７の先端が、内側に位置するように形成されていることが好ましい。図１５においては、突起部２７が複数設けられている場合について例示したが、突起部２７の個数が単数である場合においても、ＴＥバンド１５の外周から径方向に沿った外側への突起部２７の突出量が、天板部７の外周と収納容器８０の外周とを結ぶ直線よりも内側であることが好ましい。
【００７９】
このようなスクリューキャップ１によれば、収納容器８０及びスクリューキャップ１の外観を良くすることができる。また、このようなスクリューキャップ１によれば、当該スクリューキャップが取り付けられた収納容器８０を輸送する際などに、スクリューキャップ１における突起部２７が他の収納容器８０などに衝突することを防止できる。この結果、このようなスクリューキャップ１によれば、ＴＥバンド１５が破損したり、スクリューキャップ１が弛んだりすることを防止できる。
【００８０】
ところで、上記実施形態のスクリューキャップ１には、第１弱化線３５と第２弱化線３７との２つが設けられていたが、本発明のスクリューキャップ１に形成される弱化線は、第１弱化線３５と第２弱化線３７とのいずれか一方であっても良い。
【００８１】
また、上記実施形態においては、係止片１９それぞれを、ＴＥバンド１５の内周から、径方向に沿った内側に向けて突出する矩形状に形成していたが、本発明における係止片１９は、矩形状でなく、鋸歯状に形成されていても良いし、リング状に形成されていても良い。
【００８２】
また、上記実施形態においては、収納容器８０をペットボトルとしていたが、本発明における収納容器は、これに限るものではなく、容器本体８２と口部８４とを備えた容器であれば、どのようなものでも良い。
【００８３】
なお、上記実施形態の構成の一部を、課題を解決できる限りにおいて省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【符号の説明】
【００８４】
１…スクリューキャップ  ５…キャップ本体部  ７…天板部  ９…スカート部  １１…シール部  １３…ネジ部  １５…ＴＥバンド  １７…第１ブリッジ  １９…係止片  ２７…突起部  ３１…凹凸  ３５…第１弱化線  ３７…第２弱化線  ８０…収納容器  ８２…容器本体  ８４…口部  ８６…ネックリング  ８８…ネジ  ９０…接合部
【図１】
2015221669.tif 000003
【図２】
2015221669.tif 000004
【図３】
2015221669.tif 000005
【図４】
2015221669.tif 000006
【図５】
2015221669.tif 000007
【図６】
2015221669.tif 000008
【図７】
2015221669.tif 000009
【図８】
2015221669.tif 000010
【図９】
2015221669.tif 000011
【図１０】
2015221669.tif 000012
【図１１】
2015221669.tif 000013
【図１２】
2015221669.tif 000014
【図１３】
2015221669.tif 000015
【図１４】
2015221669.tif 000016
【図１５】
2015221669.tif 000017
【図１６】
2015221669.tif 000018
【図１７】
2015221669.tif 000019